(57)【要約】【目的】回転ベゼルなどの小型化が可能な操作子を情報処理装置の表示制御用に用いる。【解決手段】回転ベゼル１３の操作状態をセンサユニット３７Ａ、３７Ｂにより測定し、波形整形回路３８及び回転情報生成ユニット３９により生成されるアナログ的に表した操作状態データに基づいてＭＰＵ３４は、表示パネル１２における表示態様をアナログ的に変化させる。【選択図】      図３
2004184396.tif 000002
【特許請求の範囲】
【請求項１】
操作子と、
各種情報を表示する表示部と、
前記操作子の操作状態をアナログ的に表した操作状態データに基づいて前記表示部における表示態様をアナログ的に変化させる表示制御部と、
を備えたことを特徴とする表示装置。
【請求項２】
請求項１記載の表示装置において、
前記表示制御部は、単一動作モード内で前記表示態様をアナログ的に変化させることを特徴とする表示装置。
【請求項３】
請求項１または請求項２記載の表示装置において、
前記操作子は、回転操作が可能であり、
前記表示制御部は、前記操作子の回転量、回転方向あるいは回転速度のうち少なくともいずれか一つに対応する前記操作状態データに基づいて前記表示態様を変化させることを特徴とする表示装置。
【請求項４】
請求項１ないし請求項３のいずれかに記載の表示装置において、
前記表示制御部は、前記表示態様の変化として、フォントのサイズ、フォントの種類、フォントの色あるいはフォントの形状のうち少なくともいずれか一つを変化させることを特徴とする表示装置。
【請求項５】
請求項１ないし請求項３のいずれかに記載の表示装置において、
前記表示制御部は、前記表示態様の変化として、地図の表示状態から、前記地図に属するいずれかの地域の現地時刻表示状態に変化させることを特徴とする表示装置。
【請求項６】
請求項１ないし請求項３のいずれかに記載の表示装置において、
前記表示制御部は、前記表示態様の変化として、前記表示部にアナログ時計を表示するに際し、アナログ時計の指針の長さを変化させることを特徴とする表示装置。
【請求項７】
請求項１ないし請求項３のいずれかに記載の表示装置において、
前記表示制御部は、前記表示態様の変化として、前記表示部にアナログ時計を表示するに際し、アナログ時計のアワーマーカの種類あるいはアワーマーカの大きさを変化させることを特徴とする表示装置。
【請求項８】
請求項１ないし請求項３のいずれかに記載の表示装置において、
前記表示部の表示面に垂直な方向に沿ってそれぞれ所定距離離間して配置した複数の表示画面を仮定し、
前記表示制御部は、前記表示態様の変化として、前記表示面に垂直な方向に沿って徐々に焦点位置をずらした場合に観察される前記複数の表示画面全体の画像を表示することを特徴とする表示装置。
【請求項９】
請求項１ないし請求項３のいずれかに記載の表示装置において、
前記表示制御部は、前記表示態様の変化として、前記操作状態データに対応させて画像を生成して前記表示部に表示することを特徴とする表示装置。
【請求項１０】
請求項１ないし請求項９のいずれかに記載の表示装置において、
前記操作子は、回転ベゼルあるいはリュウズとして構成されていることを特徴とする表示装置。
【請求項１１】
請求項１ないし請求項１０のいずれかの表示装置を備えたことを特徴とする時計。
【請求項１２】
操作子と、各種情報を表示する表示部と、を有する表示装置の制御方法において、
前記操作子の操作状態をアナログ的に測定する操作状態測定過程と、
アナログ的に表された前記操作状態に基づいて前記表示部における表示態様をアナログ的に変化させる表示制御過程と、
を備えたことを特徴とする表示装置の制御方法。
【請求項１３】
請求項１２記載の表示装置の制御方法において、
前記表示制御過程は、単一動作モード内で前記表示態様をアナログ的に変化させることを特徴とする表示装置の制御方法。
【請求項１４】
請求項１２または請求項１３記載の表示装置の制御方法において、
前記操作子は、回転操作が可能であり、
前記表示制御過程は、前記操作子の回転量、回転方向あるいは回転速度のうち少なくともいずれか一つに対応する前記操作状態に基づいて前記表示態様を変化させることを特徴とする表示装置の制御方法。
【請求項１５】
請求項１２ないし請求項１４のいずれかに記載の表示装置の制御方法において、
前記表示制御過程は、前記表示態様の変化として、フォントのサイズ、フォントの種類、フォントの色あるいはフォントの形状のうち少なくともいずれか一つを変化させることを特徴とする表示装置の制御方法。
【請求項１６】
請求項１２ないし請求項１４のいずれかに記載の表示装置の制御方法において、
前記表示制御過程は、前記表示態様の変化として、地図の表示状態から、前記地図に属するいずれかの地域の現地時刻表示状態に変化させることを特徴とする表示装置の制御方法。
【請求項１７】
請求項１２ないし請求項１４のいずれかに記載の表示装置の制御方法において、
前記表示制御過程は、前記表示態様の変化として、前記表示部にアナログ時計を表示するに際し、アナログ時計の指針の長さを変化させることを特徴とする表示装置の制御方法。
【請求項１８】
請求項１２ないし請求項１４のいずれかに記載の表示装置の制御方法において、
前記表示制御過程は、前記表示態様の変化として、前記表示部にアナログ時計を表示するに際し、アナログ時計のアワーマーカの種類あるいはアワーマーカの大きさを変化させることを特徴とする表示装置の制御方法。
【請求項１９】
請求項１２ないし請求項１４のいずれかに記載の表示装置の制御方法において、
前記表示部の表示面に垂直な方向に沿ってそれぞれ所定距離離間して配置した複数の表示画面を仮定し、
前記表示制御過程は、前記表示態様の変化として、前記表示面に垂直な方向に沿って徐々に焦点位置をずらした場合に観察される前記複数の表示画面全体の画像を表示することを特徴とする表示装置の制御方法。
【請求項２０】
請求項１ないし請求項３のいずれかに記載の表示装置において、
前記表示制御過程は、前記表示態様の変化として、前記操作状態に対応させて画像を生成して前記表示部に表示することを特徴とする表示装置の制御方法。
【請求項２１】
操作子と、各種情報を表示する表示部と、を有する表示装置をコンピュータにより制御するための制御プログラムにおいて、
前記操作子の操作状態をアナログ的に測定させ、
アナログ的に表された前記操作状態に基づいて前記表示部における表示態様をアナログ的に変化させる、
ことを特徴とする制御プログラム。
【請求項２２】
請求項２１記載の制御プログラムを記録したことを特徴とするコンピュータ読取可能な記録媒体。
【発明の詳細な説明】
【０００１】
【発明の属する技術分野】
本発明は、表示装置、時計、表示装置の制御方法、制御プログラムおよび記録媒体に係り、特に携帯型の情報処理装置に適用される表示装置、時計、表示装置の制御方法、制御プログラムおよび記録媒体に関する。
【０００２】
【従来の技術】
従来より現在時刻を表示する文字盤などの時刻表示部の周囲に、リング上の回転ベゼルが回転可能に設けられた時計が知られている。例えば、特許文献１には、このような時計が開示されている。
従来この種の回転ベゼルは、純粋にデザイン的なものであるかあるいはダイバーズ用ウオッチのように潜水時間をダイバーが把握するためのようにもっぱら実用的な観点から設けられていた。
しかるに近年においては、携帯型情報処理装置の小型化の欲求が高まり、腕時計型の情報処理装置が提案され、その入力装置として、例えば、特許文献２に示すように、回転ベゼルが用いられているものがある。
【０００３】
【特許文献１】
実開平５−９２７７９号公報
【特許文献２】
特開２００１−３４４０３９号公報
【０００４】
【発明が解決しようとする課題】
ところで、上記従来の回転ベゼルを用いた腕時計型の情報処理装置においては、回転ベゼルは、あくまで入力すべきデータを特定する入力データ特定装置として用いられているだけであり、その操作状態に応じて表示制御を行うものではなかった。
そこで、本発明の目的は、回転ベゼルなどの小型化が可能な操作子を情報処理装置の表示制御用に用いることが可能な表示装置、時計、表示装置の制御方法、制御プログラムおよび記録媒体を提供することにある。
【０００５】
【課題を解決するための手段】
上記課題を解決するため、表示装置は、操作子と、各種情報を表示する表示部と、前記操作子の操作状態をアナログ的に表した操作状態データに基づいて前記表示部における表示態様をアナログ的に変化させる表示制御部と、を備えたことを特徴としている。
上記構成によれば、表示制御部は、操作子の操作状態をアナログ的に表した操作状態データに基づいて表示部における表示態様をアナログ的に変化させる。
この場合において、表示制御部は、単一動作モード内で前記表示態様をアナログ的に変化させるようにしてもよい。
また、前記操作子は、回転操作が可能であり、前記表示制御部は、前記操作子の回転量、回転方向あるいは回転速度のうち少なくともいずれか一つに対応する前記操作状態データに基づいて前記表示態様を変化させるようにしてもよい。
【０００６】
さらに、前記表示制御部は、前記表示態様の変化として、フォントのサイズ、フォントの種類、あるいはフォントの色のうち少なくともいずれか一つを変化させるようにしてもよい。
さらにまた、前記表示制御部は、前記表示態様の変化として、地図の表示状態から、前記地図に属するいずれかの地域の現地時刻表示状態に変化させるようにしてもよい。
また、前記表示制御部は、前記表示態様の変化として、前記表示部にアナログ時計を表示するに際し、アナログ時計の指針の長さを変化させるようにしてもよい。
さらに、前記表示制御部は、前記表示態様の変化として、前記表示部にアナログ時計を表示するに際し、アナログ時計のアワーマーカの種類あるいはアワーマーカの大きさを変化させるようにしてもよい。
さらにまた、前記表示部の表示面に垂直な方向に沿ってそれぞれ所定距離離間して配置した複数の表示画面を仮定し、前記表示制御部は、前記表示態様の変化として、前記表示面に垂直な方向に沿って徐々に焦点位置をずらした場合に観察される前記複数の表示画面全体の画像を表示するようにしてもよい。
また、前記表示制御部は、前記表示態様の変化として、前記操作状態データに対応させて画像を生成して前記表示部に表示するようにしてもよい。
さらに、前記操作子は、回転ベゼルあるいはリュウズとして構成されているようにしてもよい。
また、時計に上記いずれかの表示装置を備えるようにしたことを特徴としている。
【０００７】
また、操作子と、各種情報を表示する表示部と、を有する表示装置の制御方法は、前記操作子の操作状態をアナログ的に測定する操作状態測定過程と、アナログ的に表された前記操作状態に基づいて前記表示部における表示態様をアナログ的に変化させる表示制御過程と、を備えたことを特徴としている。
この場合において、前記表示制御過程は、単一動作モード内で前記表示態様をアナログ的に変化させるようにしてもよい。
また、前記操作子は、回転操作が可能であり、前記表示制御過程は、前記操作子の回転量、回転方向あるいは回転速度のうち少なくともいずれか一つに対応する前記操作状態に基づいて前記表示態様を変化させるようにしてもよい。
さらに前記表示制御過程は、前記表示態様の変化として、フォントのサイズ、フォントの種類、フォントの色あるいはフォントの形状のうち少なくともいずれか一つを変化させるようにしてもよい。
さらにまた、前記表示制御過程は、前記表示態様の変化として、地図の表示状態から、前記地図に属するいずれかの地域の現地時刻表示状態に変化させるようにしてもよい。
【０００８】
また、前記表示制御過程は、前記表示態様の変化として、前記表示部にアナログ時計を表示するに際し、アナログ時計の指針の長さを変化させるようにしてもよい。
さらに、前記表示制御過程は、前記表示態様の変化として、前記表示部にアナログ時計を表示するに際し、アナログ時計のアワーマーカの種類あるいはアワーマーカの大きさを変化させるようにしてもよい。
さらにまた、前記表示部の表示面に垂直な方向に沿ってそれぞれ所定距離離間して配置した複数の表示画面を仮定し、前記表示制御過程は、前記表示態様の変化として、前記表示面に垂直な方向に沿って徐々に焦点位置をずらした場合に観察される前記複数の表示画面全体の画像を表示するようにしてもよい。
また、前記表示制御過程は、前記表示態様の変化として、前記操作状態に対応させて画像を生成して前記表示部に表示するようにしてもよい。
また、操作子と、各種情報を表示する表示部と、を有する表示装置をコンピュータにより制御するための制御プログラムは、前記操作子の操作状態をアナログ的に測定させ、アナログ的に表された前記操作状態に基づいて前記表示部における表示態様をアナログ的に変化させる、ことを特徴としている。
また、この制御プログラムをコンピュータ読取可能な記録媒体に記録することも可能である。
【０００９】
【発明の実施の形態】
次に本発明の好適な実施の形態について図面を参照して説明する。
［１］第１実施形態
図１は、第１実施形態の携帯型情報処理装置の外観正面図である。
携帯型情報処理装置１０は、大別すると、ケース１１、表示パネル１２、回転ベゼル１３、バンド１４を備えている。
ケース１１は、金属あるいはプラスチックで構成されており、ケース本体および裏蓋を備えている。ケース１内には、後述するように、各種センサ、マイクロコンピュータなどが格納されている。
表示パネル１２は、たとえば、液晶ディスプレイ、有機ＥＬディスプレイなどのドットマトリクス方式の薄型ディスプレイで構成されている。
回転ベゼル１３は、ケース１１に回転可能に支持されている。
バンド１４は、ユーザが携帯型情報処理装置１０を身体（腕等）に装着するために用いられる。
図２は、第１実施形態の携帯型情報処理装置の部分断面図である。
携帯型情報処理装置１０の回転ベゼル１３の裏面には回転情報を得るための光学パターン４１が形成されている。一方、ケース１１を構成するケース本体１１Ａ内の回転ベゼル１３に対向する位置には、光学パターン４１に対応させたセンサユニット３７Ａ、３７Ｂが配置されており、センサユニット３７Ａ、３７Ｂの出力信号を処理することにより、回転ベゼル１３の回転方向、回転量、回転速度などを測定するようになっている。
【００１０】
ケース本体１１Ａの上方側には、指針、表示パネル１２を保護するための、カバーガラス１１Ｂが嵌め込まれている。また、ケース本体１１Ａの下方側には、裏蓋１１Ｃが嵌め込まれている。
図３は、携帯型情報処理装置の概要構成ブロック図である。
携帯型情報処理装置１０は、大別すると、発振回路３１、分周回路３２、時計用カウンタ３３、ＭＰＵ３４、ＲＯＭ３５、ＲＡＭ３６、表示パネル１２、回転ベゼル１３、センサユニット３７Ａ、３７Ｂ、波形整形回路３８、回転情報生成ユニット３９、入力部４０を備えている。
発振回路３１は、図示しない水晶発振器を備え、所定の基準周波数を有する基準発振信号を分周回路３２に出力する。
分周回路３２は、基準発振信号を分周して、例えば、１Ｈｚの計時用基準信号を生成し、時計用カウンタ３３に出力する。
【００１１】
時計用カウンタ３３は、計時用基準信号に基づいて時計表示用のカウント信号である計時用カウント信号をＭＰＵ３４に出力する。
ＭＰＵ３４は、所定の制御プログラムに基づいて表示パネル１２に各種表示を行ったり、携帯型情報処理装置１０全体の制御を行う。
ＲＯＭ３５は、携帯型情報処理装置１０を制御するための制御プログラムをあらかじめ格納している。
ＲＡＭ３６は、各種データを一時的に記憶する。
センサユニット３７Ａ、３７Ｂは、回転ベゼル１３に形成された光学パターン４１（図５参照）を読みとるべく設けられ、それぞれ光学パターンに対応するアナログ出力信号を波形整形回路３８に出力する。
波形整形回路３８は、複数の磁気センサ３７の出力信号の波形整形を行い、回転ベゼル１３の回転状態に応じた複数のパルス信号を回転情報生成ユニット３９に出力する。
回転情報生成ユニット３９は、波形整形回路３８の出力した複数のパルス信号をそれぞれカウントし、回転ベゼルの回転状態（回転量、回転方向、回転速度など）に対応する回転情報を生成し、回転情報データとしてＭＰＵ３４に出力する。
【００１２】
ここで、回転情報データの生成について詳細に説明する。
図４は、センサユニットの取り付け状態説明図である。
図４に示すように、ケース本体１１Ａには孔５１Ａ，５１Ｂが形成されており、この孔５１Ａ，５１Ｂ内に第１センサユニット３７Ａと、第２センサユニット３７Ｂとがそれぞれ配置されている。この場合において、第１センサユニット３７Ａと回転ベゼル１３の回転中心Ｏとを結ぶ線と、第２センサユニット３７Ｂと回転中心Ｏとを結ぶ線とが角度θ１をなすように第１センサユニット３７Ａおよび第２センサユニット３７Ｂがそれぞれ配置されている。なお、角度θ１については後述する。
【００１３】
図５は、光学パターンの説明図である。
図５に示すように、回転ベゼル１３の下面には光学パターン４１が形成されている。この光学パターン４１が形成された面の下方にはセンサカバーガラス４２がケース本体１１Ａに取り付けられている。このとき、ケース本体１１Ａとセンサカバーガラス４２の間にはパッキン４３が配設されており、これによりセンサカバーガラス４２の下部への水等の侵入を防止することができる。センサカバーガラス４２の下方には、第１センサユニット３７Ａが配設されている。第１センサユニット３７Ａは、ＬＥＤ（Ｌｉｇｈｔ  Ｅｍｉｔｔｉｎｇ  Ｄｉｏｄｅ）４４と、フォトダイオード４５と、ＬＥＤ４４とフォトダイオード４５との間に配置される遮光板４４ａと、基板４８とから構成されている。ＬＥＤ４４が光学パターン４１に向けて第１検出光Ｌ１を射出、照射し、その反射光をフォトダイオード４５が受光し、第１センサユニット３７Ａは、受光した第１検出光Ｌ１に基づいて第１検出信号Ａを生成する（図３参照）。
【００１４】
第２センサユニット３７Ｂは、第１センサユニット３７Ａと同様なＬＥＤとフォトダイオードと遮光板と基板とから構成されている。そして、ＬＥＤが光学パターン４１に向けて第２検出光Ｌ２を射出、照射し、その反射光をフォトダイオードが受光し、受光した第２検出光Ｌ２に基づいて第２検出信号Ｂを生成する（図３参照）。
第１センサユニット３７Ａの基板４８の下側には、接点バネ４９が設けられており、この接点バネ４９により第１センサユニット３７Ａ及び第２センサユニット３７Ｂと携帯型情報処理装置１０のＭＰＵ３４等が電気的に接続されている。なお、接点バネ４７の代わりにリード線を設けるようにしてもよい。このように第１センサユニット３７Ａの生成した第１検出信号Ａ及び第２センサユニット３７Ｂが生成した第２検出信号Ｂが波形整形回路３８を介して回転情報生成部に入力され、回転ベゼル１３の回転角度（回転量）および回転方向（必要に応じて回転速度）が測定される。
【００１５】
次に、光学パターン４１について説明する。
図５に示したように、回転ベゼル１３の下面の外周部には、円状の軌道に沿って、ＬＥＤ４４の照射する光を吸収する吸収領域４１ａとＬＥＤ４４の光を反射する反射領域４１ｂとが交互に繰り返し並んだ光学パターン４１が形成されている。このとき、吸収領域４１ａまたは反射領域４１ｂの中心から回転ベゼル１３の回転中心Ｏに至る線分とその領域に隣接する反射領域４１ｂまたは吸収領域４１ａの中心から回転中心Ｏに至る線分とがなす角度はいずれもθ２である。この場合において、上述した回転ベゼル１３の回転を３６０［゜］をｎ分割（ｎは偶数）して検出する場合には、θ２＝３６０／ｎ［゜］となる。
【００１６】
図６は、センサユニットの検出信号の説明図である。
第１センサユニット３７Ａは、使用者が回転ベゼル１３を回転させたときに、図５に示す光学パターン４１の吸収領域４１ａと反射領域４１ｂとを交互に読み取ることにより、図６に示すような略正弦波形を有する第１検出信号Ａを生成することができる。一方、第２センサユニット３７Ｂも同様に、略正弦波形を有する第２検出信号Ｂを生成することとなる。この場合において、第１検出信号Ａと第２検出信号Ｂの位相は、後に詳述するように、１／４波長だけずれるように吸収領域４１ａ及び反射領域４１ｂ並びに第１センサユニット３７Ａ及び第２センサユニット３７Ｂの配置が設定されている
【００１７】
次に、第１センサユニット３７Ａと第２センサユニット３７Ｂとの間の角度θ２について説明する。本実施形態では、θ１＝θ２＋θ２／２となるように第１センサユニット３７Ａおよび第２センサユニット３７Ｂが配置されている。これにより、回転ベゼル１３が使用者により回転させられた場合には、第１センサユニット３７Ａが生成する第１検出信号Ａと第２センサユニット３７Ｂが生成する第２検出信号Ｂに１／４の位相差が生じることになる。図６に示すように、回転ベゼル１３を時計回りに回転させた場合には、第２センサユニット３７Ｂの生成する第２検出信号Ｂに第１センサユニット３７Ａの生成する第１検出信号Ａより１／４の位相進みが生じる。また、回転ベゼル１３を反時計回りに回転させた場合には、第２センサユニット３７Ｂの生成する第２検出信号Ｂに第１センサユニット３７Ａの生成する第１検出信号Ａより１／４の位相遅れが生じることになる。このような位相遅れ・位相進みを検知することによって回転ベゼル１３の回転方向を検出することが可能となっている。
【００１８】
次に第１実施形態の動作を説明する。
図７は、第１実施形態の携帯型情報処理装置１０の概要動作フローチャートである。
まずＭＰＵ３４は、現在の動作モードを判別する（ステップＳ１）。
この場合において、携帯型情報処理装置１０は、時計として機能し、動作モードとしては、例えば、世界時計モード、指針伸縮モード、アナログ／ディジタル時計モード、アワーマーカ選択モード、アワーマーカ拡大／縮小モード、アワーマーカ斜体モード、動作セレクトモード、モーフィングモードおよび背景変化モードがある。それぞれの動作モードについては、後に詳述する。
続いてＭＰＵ３４は、回転情報生成ユニット３９を介して現在の回転ベゼル１３の操作状態の測定を行う（ステップＳ２）。
具体的には、ＭＰＵ３４は、回転情報生成ユニット３９の出力データに基づいて回転ベゼル１３の回転方向および回転量（さらに必要に応じて回転速度）を間接的に測定することとなる。
続いてＭＰＵ３４は、現在の動作モードおよび現在の回転ベゼル１３の操作状態に基づいて、動作モード別に表示制御を行うこととなる（ステップＳ３）。
そして、ＭＰＵ３４は、操作が完了したか否かを操作が停止してからの経過時間、あるいは、他のスイッチなどの操作状態に基づいて判別し（ステップＳ４）、操作が完了していない場合には（ステップＳ４；Ｎｏ）、処理をステップＳ２に移行して同様に処理を行う。
また操作が完了したと判別された場合には（ステップＳ４；Ｙｅｓ）、表示制御処理を終了する。
【００１９】
以下、具体的に動作モード別表示制御について説明する。
［１．１］世界時計モード
まず、現在の動作モードが世界時計モードである場合について説明する。図８は、世界時計モード時の処理フローチャートである。また、図９は、世界時計モード時の表示態様の変化の説明図である。
この場合において、携帯型情報処理装置１０の初期状態の表示は、表示状態ＳＴ１２に示すように、ヨーロッパ地域の地図、世界時計の現地の都市名「パリ（Ｐａｒｉｓ）」および世界時計の現地時刻のアナログ指針表示がなされているものとする。
世界時計モード時において、ＭＰＵ３４は、回転情報生成ユニット３９の出力データに基づいて回転ベゼル１３の回転方向が時計回り（第１の回転方向）か否かを判別する（ステップＳ１１）。
ステップＳ１１の判別において、回転ベゼルの回転方向が時計回りである場合には（ステップＳ１１；Ｙｅｓ）、回転量に応じてズームイン処理が行われる（ステップＳ１２）。
【００２０】
すなわち、ヨーロッパ地域の地図、世界時計の現地の都市名「パリ（Ｐａｒｉｓ）」および世界時計の現地時刻のアナログ指針表示がなされている状態から、カメラのズームレンズでテレ側に寄せた場合と同様に、表示画像が徐々に拡大され、最終的には現地の都市名および現地時刻のアナログ指針表示のみを表示する表示状態ＳＴ１３となる。
ステップＳ１１の判別において、回転ベゼルの回転方向が反時計回り（第１の回転方向とは逆の第２の回転方向）である場合には（ステップＳ１１；Ｎｏ）、回転量に応じてズームアウト処理が行われる（ステップＳ１２）。
すなわち、ヨーロッパ地域の地図、世界時計の現地の都市名「パリ（Ｐａｒｉｓ）」および世界時計の現地時刻のアナログ指針表示がなされている状態から、カメラのズームレンズでワイド側に寄せた場合と同様に、表示画像が徐々に縮小され、最終的にはヨーロッパ地域およびアフリカ地域部分の世界地図のみを表示する表示状態ＳＴ１１となる。
【００２１】
［１．２］指針伸縮モード
次に現在の動作モードが指針伸縮モードである場合について説明する。図１０は、指針伸縮モード時の処理フローチャートである。また、図１１は、指針伸縮モード時の表示態様の変化の説明図である。
指針伸縮モード時において、ＭＰＵ３４は、回転情報生成ユニット３９の出力データに基づいて回転ベゼル１３の回転方向が時計回りか否かを判別する（ステップＳ２１）。
ステップＳ２１の判別において、回転ベゼルの回転方向が時計回りである場合には（ステップＳ２１；Ｙｅｓ）、回転量に応じて指針伸長処理が行われる（ステップＳ２２）。
すなわち、回転ベゼル１３の回転量に応じて、表示しているアナログ指針の長さを徐々に長くする（伸長）ようにされ、最終的には、表示状態ＳＴ２２で示すような状態となる。
ステップＳ２１の判別において、回転ベゼルの回転方向が反時計回りである場合には（ステップＳ２１；Ｎｏ）、回転量に応じて指針縮小処理が行われる（ステップＳ２２）。
すなわち、回転ベゼル１３の回転量に応じて、表示しているアナログ指針の長さを徐々に短くする（縮小）ようにされ、最終的には、表示状態ＳＴ２１で示すような状態となる。
【００２２】
［１．３］アナログ／ディジタル時計モード
まず、現在の動作モードがアナログ／ディジタル時計モードである場合について説明する。図１２は、アナログ／ディジタル時計モード時の処理フローチャートである。また、図１３は、アナログ／ディジタル時計モード時の表示態様の変化の説明図である。
この場合において、携帯型情報処理装置１０の初期状態の表示は、表示状態ＳＴ３２に示すように、アナログ指針の回転軸の表面にアナログ指針の表示時刻に対応するディジタル表示がなされているものとする。
アナログ／ディジタル時計モード時において、ＭＰＵ３４は、回転情報生成ユニット３９の出力データに基づいて回転ベゼル１３の回転方向が時計回りか否かを判別する（ステップＳ３１）。
ステップＳ３１の判別において、回転ベゼルの回転方向が時計回りである場合には（ステップＳ３１；Ｙｅｓ）、回転量に応じて拡大・ディジタル時計表示処理が行われる（ステップＳ３２）。
【００２３】
すなわち、アナログ指針に対しカメラのズームレンズでテレ側に寄せた場合と同様に、アナログ指針が徐々に拡大され、アナログ指針の回転軸のみが、その表面にアナログ指針の表示時刻に対応するディジタル表示がなされた状態で表示する表示状態ＳＴ３３となる。
ステップＳ３１の判別において、回転ベゼルの回転方向が反時計回りである場合には（ステップＳ３１；Ｎｏ）、回転量に応じて縮小・アナログ時計表示処理が行われる（ステップＳ３３）。
すなわち、アナログ指針に対しカメラのズームレンズでワイド側に寄せた場合と同様に、アナログ指針が徐々に縮小され、アナログ指針の回転軸のディジタル表示が徐々に見えなくなって、アナログ指針によって時刻を表示する表示状態ＳＴ３１となる。
【００２４】
［１．４］アワーマーカ選択モード
次に現在の動作モードがアワーマーカ選択モードである場合について説明する。図１４は、アワーマーカ選択モード時の処理フローチャートである。また、図１５は、アワーマーカ選択モード時の表示態様の変化の説明図である。
この場合において、携帯型情報処理装置１０の初期状態の表示は、表示状態ＳＴ４１に示すように、文字盤のアワーマーカ（正時における短針位置を表す印であり、図１５では、１〜１２の数字）が所定のフォントで表示されているものとする。
アワーマーカ選択モード時において、ＭＰＵ３４は、回転情報生成ユニット３９の出力データに基づいて回転ベゼル１３の回転方向が時計回りか否かを判別する（ステップＳ４１）。
【００２５】
ステップＳ４１の判別において、回転ベゼルの回転方向が時計回りである場合には（ステップＳ４１；Ｙｅｓ）、回転ベゼル１３の回転量に応じて表示画面の遷移が第１方向に向かうアワーマーカの表示変更がなされる（ステップＳ４２）。
すなわち、回転ベゼル１３の回転量に応じて、表示しているアワーマーカのフォントが表示状態ＳＴ４１→表示状態ＳＴ４２→表示状態ＳＴ４３→表示状態ＳＴ４４→表示状態ＳＴ４１→……というように第１方向側に順次変更されてゆくこととなる。
ステップＳ４１の判別において、回転ベゼルの回転方向が反時計回りである場合には（ステップＳ４１；Ｎｏ）、回転量に応じて表示画面の遷移が第２方向に向かうアワーマーカの表示変更がなされる（ステップＳ４２）。
すなわち、回転ベゼル１３の回転量に応じて、表示しているアワーマーカのフォントが表示状態ＳＴ４１→表示状態ＳＴ４４→表示状態ＳＴ４３→表示状態ＳＴ４２→表示状態ＳＴ４１→……というように第２方向側に順次変更されてゆくこととなる。
【００２６】
［１．５］アワーマーカ拡大／縮小モード
次に現在の動作モードがアワーマーカ拡大／縮小モードである場合について説明する。図１６は、アワーマーカ拡大／縮小モード時の処理フローチャートである。また、図１７、図１８は、アワーマーカ拡大／縮小モード時の表示態様の変化の説明図である。
アワーマーカ拡大／縮小モード時において、ＭＰＵ３４は、回転情報生成ユニット３９の出力データに基づいて回転ベゼル１３の回転方向が時計回りか否かを判別する（ステップＳ５１）。
ステップＳ５１の判別において、回転ベゼルの回転方向が時計回りである場合には（ステップＳ５１；Ｙｅｓ）、回転量に応じてアワーマーカの拡大処理が行われる（ステップＳ５２）。
【００２７】
すなわち、回転ベゼル１３の回転量に応じて、表示しているアワーマーカのサイズが徐々に大きくなるようにされ、最終的には、表示状態ＳＴ５２（アワーマーカが数字の場合）あるいは表示状態ＳＴ６２（アワーマーカが記号の場合）で示すような状態となる。
ステップＳ５１の判別において、回転ベゼルの回転方向が反時計回りである場合には（ステップＳ５１；Ｎｏ）、回転量に応じてアワーマーカの縮小処理が行われる（ステップＳ５２）。
すなわち、回転ベゼル１３の回転量に応じて、表示しているアワーマーカのサイズが徐々に小さくなるようにされ、最終的には、表示状態ＳＴ５１（アワーマーカが数字の場合）あるいは表示状態ＳＴ６１（アワーマーカが記号の場合）で示すような状態となる。
以上の説明のように本第１実施形態によれば、回転ベゼルを操作子として用い、携帯型情報処理装置の表示制御用に用いているので、携帯型情報処理装置のように小型化が優先される情報処理装置においても、操作性を犠牲にすることなく、装置の小型化に貢献させることができる。
【００２８】
［１．６］アワーマーカ斜体モード
次に現在の動作モードがアワーマーカを構成するフォントの形状を変更する態様の一例であるアワーマーカ斜体モードである場合について説明する。図１９は、アワーマーカ斜体モード時の処理フローチャートである。また、図２０は、アワーマーカ斜体モード時の表示態様の変化の説明図である。
アワーマーカ斜体モード時において、ＭＰＵ３４は、回転情報生成ユニット３９の出力データに基づいて回転ベゼル１３の回転方向が時計回りか否かを判別する（ステップＳ６１）。
ステップＳ６１の判別において、回転ベゼルの回転方向が時計回りである場合には（ステップＳ６１；Ｙｅｓ）、回転量に応じてアワーマーカが右側に傾く右傾斜処理が行われる（ステップＳ６２）。
【００２９】
すなわち、回転ベゼル１３の回転量に応じて、表示しているアワーマーカが徐々に右側に傾くように表示されることとなる。例えば、図２１に破線で示すようになる。
ステップＳ６１の判別において、回転ベゼルの回転方向が反時計回りである場合には（ステップＳ６１；Ｎｏ）、回転量に応じてアワーマーカが徐々に左側に傾く左傾斜処理が行われる（ステップＳ６３）。
すなわち、回転ベゼル１３の回転量に応じて、表示しているアワーマーカが徐々に左側に傾くように表示されることとなる。例えば、図２１に一点鎖線で示すようになる。
以上の説明は、アワーマーカを構成するフォントを傾斜させる変形を行う場合であったが、フォントの変形としては、フォントの部分により変形率を変化させた膨張、縮小や、海草が水中で揺らめくような揺らぎを与えたりすることも可能である。
【００３０】
［１．７］動作セレクトモード
次に現在の動作モードが動作セレクトモードである場合について説明する。図２２は、動作セレクトモード時の処理フローチャートである。また、図２３は、動作セレクトモード時の表示態様の変化の説明図である。
この場合において、動作セレクト対象の動作モードが「Ａ」〜「Ｄ」の４つの場合について説明する。すなわち、表示パネル１２の表示面に垂直な方向に沿ってそれぞれ所定距離離間して配置した４枚の表示画面（それぞれ動作モードがＡ〜Ｄに対応）を仮定し、表示態様の変化として、表示パネル１２の表示面に垂直な方向に沿って徐々に焦点位置（仮想焦点位置）をずらした場合に観察される４枚の表示画面全体の画像を表示する場合について説明する。
携帯型情報処理装置１０の初期状態の表示は、表示状態ＳＴ７１に示すように、最も手前に表示されている動作モードＡに対応するシンボルがカメラのレンズの焦点が合っているようにはっきりと表示されている。また、他の動作モード「Ｂ」〜「Ｄ」に対応するシンボルについては、表示画面の手前側から奥側に向かって動作モード「Ｂ」〜「Ｄ」に対応するシンボルが順次所定の距離を離して配置されているイメージでカメラのレンズの焦点がいずれのシンボルの（仮想的な）配置位置に合っていない場合のようにぼんやりと表示されている。
そして、動作セレクトモード時において、ＭＰＵ３４は、回転情報生成ユニット３９の出力データに基づいて回転ベゼル１３の回転方向が時計回りか否かを判別する（ステップＳ７１）。
【００３１】
ステップＳ７１の判別において、回転ベゼルの回転方向が時計回りである場合には（ステップＳ７１；Ｙｅｓ）、カメラのレンズの焦点（仮想焦点）が動作モードＡに対応する仮想的な配置位置から動作モードＢに対応するシンボルの仮想的な配置位置に徐々に移行するように表示変更がなされる（ステップＳ７２）。すなわち、回転ベゼル１３の回転量に応じて、はっきり表示される各動作モードに対応するシンボルが表示状態ＳＴ７１（動作モードＡに対応するシンボルがはっきりと表示される状態）→表示状態ＳＴ７２（動作モードＢに対応するシンボルがはっきりと表示される状態）→表示状態ＳＴ７３（動作モードＣに対応するシンボルがはっきりと表示される状態）→表示状態ＳＴ７４（動作モードＤに対応するシンボルがはっきりと表示される状態）→表示状態ＳＴ７１→……というように第１方向側に順次変更されてゆくこととなる。
ステップＳ７１の判別において、回転ベゼルの回転方向が反時計回りである場合には（ステップＳ７１；Ｎｏ）、カメラのレンズの焦点（仮想焦点）が動作モードＡに対応する仮想的な配置位置から動作モードＤに対応するシンボルの仮想的な配置位置に徐々に移行するように表示変更がなされる（ステップＳ７３）。すなわち、回転ベゼル１３の回転量に応じて、はっきり表示される各動作モードに対応するシンボルが表示状態ＳＴ７１（動作モードＡに対応するシンボルがはっきりと表示される状態）→表示状態ＳＴ７４（動作モードＤに対応するシンボルがはっきりと表示される状態）→表示状態ＳＴ７３（動作モードＣに対応するシンボルがはっきりと表示される状態）→表示状態ＳＴ７２（動作モードＢに対応するシンボルがはっきりと表示される状態）→表示状態ＳＴ７１→……というように第１方向側とは逆方向である第２方向側に順次変更されてゆくこととなる。
【００３２】
［１．８］モーフィングモード
次に現在の動作モードがモーフィングトモードである場合について説明する。図２４は、モーフィングモード時の処理フローチャートである。また、図２５は、モーフィングモード時の表示態様の変化の説明図である。
ここでモーフィングとは、映画などで使用されるディジタル特殊映像効果の一つであり、第１の画像（あるいは第１の物体）から第２の画像（あるいは第２の物体）に徐々に変化するように見せるための手法である。具体的には、第１の画像を複数の部分画像（ポイント）に分割し、各部分画像が第２の画像がどの部分に相当するかを設定して、両画像の混合比率を徐々に第２の画像側を大きくしながら合成画像を生成することにより実現する。
以下の説明においては、モーフィング対象の第１の画像が文字「Ａ」であり、第２の画像が文字「Ｂ」である場合について説明する。
携帯型情報処理装置１０の初期状態の表示は、表示状態ＳＴ８１に示すように、文字「Ａ」の原画像が表示されている。すなわち、第１の画像である文字「Ａ」の画像の混合比率を１００％とし、第２の画像である文字「Ｂ」の画像の混合比率が０パーセントに設定された混合画像と等価の画像が表示されている。
そして、モーフィングモードモード時において、ＭＰＵ３４は、回転情報生成ユニット３９の出力データに基づいて回転ベゼル１３の回転方向が時計回りか否かを判別する（ステップＳ８１）。
【００３３】
ステップＳ８１の判別において、回転ベゼルの回転方向が時計回りである場合には（ステップＳ８１；Ｙｅｓ）、第２の画像である文字「Ｂ」の混合比率を徐々に上げながら、対応する部分画像の合成画像をそれぞれ生成し、全体で一つの合成画像を生成する（ステップＳ８２）。
すなわち、回転ベゼル１３の回転量に応じて、第２の画像である文字「Ｂ」の混合比率が徐々に上昇されて、合成画像が生成される。
具体的には、表示状態ＳＴ８１（文字「Ａ」の混合比率１００％）→表示状態ＳＴ８２（文字「Ａ」の混合比率＞文字Ｂの混合比率）→表示状態ＳＴ８３（文字「Ａ」の混合比率＜文字Ｂの混合比率）→表示状態ＳＴ８４（文字「Ａ」の混合比率１００％）というように第１方向側に順次変更されてゆくこととなる。
この結果、初期状態において文字「Ａ」が表示されていた場合、文字「Ａ」が徐々に文字「Ｂ」に変更されてゆくこととなる。
【００３４】
ステップＳ８１の判別において、回転ベゼルの回転方向が反時計回りである場合には（ステップＳ８１；Ｎｏ）、第１の画像である文字「Ａ」の混合比率を徐々に上げながら、対応する部分画像の合成画像をそれぞれ生成し、全体で一つの合成画像を生成する（ステップＳ８３）。
すなわち、回転ベゼル１３の回転量に応じて、第１の画像である文字「Ａ」の混合比率が徐々に上昇されて、合成画像が生成される。
具体的には、表示状態ＳＴ８４（文字「Ａ」の混合比率１００％）→表示状態ＳＴ８３（文字「Ａ」の混合比率＜文字Ｂの混合比率）→表示状態ＳＴ８２（文字「Ａ」の混合比率＞文字Ｂの混合→表示状態ＳＴ８１（文字「Ａ」の混合比率１００％）比率）→というように第２方向側に順次変更されてゆくこととなる。この結果、初期状態において文字Ｂが表示されていた場合、文字「Ｂ」が徐々に文字「Ａ」に変更されてゆくこととなる。
以上の説明においては、モーフィング対象の原画像が二つの場合について説明したが、３つ以上の場合についても同様に適用が可能である。
【００３５】
［１．９］背景変化モード
次に現在の動作モードが背景を変更する背景変化モードである場合について説明する。図２６は、背景変化モード時の処理フローチャートである。また、図２７は、背景変化モード時の表示態様の変化の説明図である。以下の説明においては、背景変化の態様として万華鏡のように背景を変化させる場合について説明する。具体的には、基本画像の左右反転画像、上下反転画像およびそれらの画像の回転画像を合成することにより背景画像を生成する。
背景変化モード時において、ＭＰＵ３４は、回転情報生成ユニット３９の出力データに基づいて回転ベゼル１３の回転方向が時計回りか否かを判別する（ステップＳ９１）。
ステップＳ９１の判別において、回転ベゼルの回転方向が時計回りである場合には（ステップＳ９１；Ｙｅｓ）、回転量に応じて基本画像から背景画像を生成するためのパラメータ（背景画像生成パラメータ）を第１の方向（例えば、増加方向）に変化させつつ、基本画像データから背景画像生成パラメータに対応する画像を抽出し、抽出した基本画像データに対応する画像の左右反転画像、上下反転画像およびそれらの画像の回転画像を合成することにより背景画像を生成する（ステップＳ９２）。
【００３６】
すなわち、回転ベゼル１３の回転量に応じて、表示パネル１２に表示している背景画像が万華鏡を回転ベゼル１３の回転方向である時計回り方向に回転するような使用感で徐々に変更されることとなる。
具体的には、表示状態ＳＴ９１→表示状態ＳＴ９２→表示状態ＳＴ９３というように第１方向側に順次変更されてゆくこととなる。
ステップＳ９１の判別において、回転ベゼルの回転方向が反時計回りである場合には（ステップＳ９１；Ｎｏ）、回転量に応じて基本画像から背景画像を生成するためのパラメータ（背景画像生成パラメータ）を第２の方向（例えば、減少方向）に変化させつつ、基本画像データから背景画像生成パラメータに対応する画像を抽出し、抽出した基本画像データに対応する画像の左右反転画像、上下反転画像およびそれらの画像の回転画像を合成することにより背景画像を生成する（ステップＳ９３）。
すなわち、回転ベゼル１３の回転量に応じて、表示パネル１２に表示している背景画像が万華鏡を回転ベゼル１３の回転方向である反時計回り方向に回転するような使用感で徐々に変更されることとなる。
具体的には、表示状態ＳＴ９３→表示状態ＳＴ９２→表示状態ＳＴ９１というように第２方向側に順次変更されてゆくこととなる。
以上の説明は、回転量、回転方向に対応させて、一意に背景画像生成パラメータを変化させる場合であったが、回転量、回転方向、回転速度に応じて、背景画像生成パラメータをランダム的に生成して様々な背景画像を生成するように構成することも可能である。
また、万華鏡様の画像ばかりでなく、回転量、回転方向、回転速度等に応じて画像生成パラメータを任意の画像生成プログラムに適用して様々な背景画像を生成するように構成することも可能である。
以上の説明のように本第１実施形態によれば、回転ベゼルを操作子として用い、携帯型情報処理装置の表示制御用に用いているので、携帯型情報処理装置のように小型化が優先される情報処理装置においても、操作性を犠牲にすることなく、装置の小型化に貢献させることができる。
また、ユーザの好みにあった様々なデザインで携帯型情報処理装置を使用させることが可能となる。
【００３７】
［２］第２実施形態
以上の第１実施形態においては、回転ベゼル１３は、回転数に制限のない状態であったが、本第２実施形態は、回転ベゼルにねじ溝を設け、ケース本体１１Ａに対応するねじ部を設けて螺合させ、カメラの絞り操作部のような操作感をユーザに与える場合の実施形態である。
図２８は、第２実施形態の携帯型情報処理装置の部分断面図である。
携帯型情報処理装置１０Ａの回転ベゼル（ローレット）１３Ａのケース１１Ａ側にはねじ溝１３Ｂを設け、ケース本体１１Ａに対応するねじ部１１Ｄを設けて螺合させている。
【００３８】
さらに回転ベゼル１３Ａのケース本体１１Ａに対向する面１１Ｅには、回転情報を得るための磁気パターン６１が形成されている。一方、ケース１１の面１１Ｅには、磁気パターン６１に対応させた複数の磁気センサユニット６２が、第１実施形態のセンサユニット３７Ａ、３７Ｂと同様に設けられており、磁気センサユニット６２の出力信号を処理することにより、回転ベゼル１３Ａの回転方向、回転量、回転速度などを測定するようになっている。
この場合において、回転ベゼル１３Ａの操作時には、ケース本体１１Ａと螺合された状態で回転させられるため、ある程度の抵抗感をもってなめらかに回転ベゼル１３Ａが回転させられ、カメラの絞り操作部のような操作感が得られることとなる。
特に第１実施形態で説明したように、世界時計モード、指針伸縮モード、アナログ／ディジタル時計モードあるいはアワーマーカ拡大／縮小モードのように表示がズーム操作のような場合には、ユーザの回転ベゼル１３Ａの操作と表示パネル１２における表示変更動作とが一体となり、ユーザはより一体的な操作感を得ることができる。
【００３９】
［３］第３実施形態
以上の各実施形態においては、操作子として回転ベゼルを用いる場合を例として説明したが、操作子としてはこれに限られるものではない。本第３実施形態においては、操作子として、リュウズを用いる場合の実施形態である。
図２９は、第３実施形態の携帯型情報処理装置の部分断面図である。
携帯型情報処理装置１０Ａには、リュウズ支持部７１に回転可能な状態で指示されたリュウズ７２が設けられている。
このリュウズ７２のケース１１Ａ内には、ロータリーエンコーダ７３を構成する透光溝が形成された円形パネル７３Ａが取り付けられている。そして、円形パネル７３Ａに対応する位置には、ＬＥＤおよびフォトディテクタが一体に配置され、ロータリーエンコーダ７３を構成する光センサユニット７３Ｂが配置されている。この光センサユニット７３Ｂは、第１実施形態におけるセンサユニット３７Ａ、３７Ｂと同様の機能を有しており、リュウズの回転にともなって、その回転方向、回転量、回転速度などを検出するようにされている。
この結果、本第３実施形態によれば、操作子としてリュウズ７２およびリュウズ７２の操作状態検出のためにロータリーエンコーダ７３を用いることにより、より微妙な操作を行える点を除き、第１実施形態と同様の効果を得ることができる。
【００４０】
［４］第４実施形態
以上の各実施形態においては、アナログ時計の表示を行う場合にも、表示パネル１２にアナログ指針を表示する場合について説明したが、本第４実施形態は、アナログ時計用ムーブメントを内蔵し、アナログ時計の背景側に表示パネル１２を配置するような構成とした場合の実施形態である。
図３０は、第４実施形態の携帯型情報処理装置の部分断面図である。
携帯型情報処理装置１０Ａは、アナログ時計のムーブメント８１が設けられており、指針８２の背景となる位置に表示パネル１２が配置されている。
また、ケース本体１１Ａの側面には、動作モードを切り換えるための切換スイッチ８５が設けられている。
【００４１】
さらに回転ベゼル１３Ｃのケース本体１１Ａに対向する面１１Ｅには、回転情報を得るための磁気パターン６１が形成されている。一方、ケース１１の面１１Ｅには、磁気パターン６１に対応させた複数の磁気センサユニット６２が、第１実施形態のセンサユニット３７Ａ、３７Ｂと同様に設けられており、磁気センサユニット６２の出力信号を処理することにより、回転ベゼル１３Ｃの回転方向、回転量、回転速度などを測定するようになっている。
そして、表示パネル１２には、アナログ時計における文字盤のデザインを変更するための表示を行わせたり、ディジタル時計の表示や各種情報の表示を行わせることができる。
これらの結果、本第４実施形態によれば、第１実施形態の効果に加えてアナログ時計の長所と、ディジタル時計の長所とをあわせ持たせることが可能となる。
【００４２】
［５］変形例
［５．１］第１変形例
以上の説明においては、表示デザインの変更態様として、アワーマーカの変更を行う場合について説明したが、表示パネル１２にアナログ指針を表示する場合に、当該アナログ指針のデザインを選択させるように構成することも可能である。
［５．２］第２変形例
以上の説明においては、表示デザインの変更態様として、アワーマーカの変更のように外観形状を変更する場合について説明したが、表示パネル１２がグレースケール表示あるいはカラー表示が可能である場合に、明るさ、色あるいは彩度を変更するように構成することも可能である。
【００４３】
［５．３］第３変形例
以上の説明においては、表示態様の変更に際し、操作子（回転ベゼルあるいはリュウズ）の回転量および回転方向に基づいて表示態様を変更していたが、回転速度に基づいて、例えば、ある回転速度以上あるいはある回転速度以下の場合にのみ、移行（あるいは遷移）可能な表示態様を設けるように構成することも可能である。あるいはダイアル式の金庫のように所定のパターンで操作子を操作した場合にのみ移行（あるいは遷移）可能な表示態様を設けるように構成することも可能である。
特にアナログ指針を液晶表示パネル、有機ＥＬディスプレイパネルなどのドットマトリクス表示型の平面ディスプレイに表示する場合に、当該アナログ指針のデザインを選択させるように構成することも可能である。
【００４４】
［５．４］第４変形例
以上の説明においては、表示態様を徐々に移行させる場合について述べたが、表示情報を操作子の回転方向に応じて上下方向あるいは左右方向にスクロールさせたりするなどの操作を行わせるように構成することも可能である。
［５．５］第５変形例
以上の説明においては、操作子の特定の回転方向（例えば、時計回り方向）を特定の処理（例えば、ズームイン処理）に対応づけていたが、第１の回転方向または第１の回転方向とは逆方向の第２の回転方向とその処理内容の対応付けについては任意に設定することが可能である。
［５．６］第６変形例
以上の説明においては、操作子の操作状態に応じて表示態様の変更を行う場合について説明したが、操作子の操作状態に応じてアラーム音の音量を調整したり、バックライトを内蔵しているような場合には、バックライトの明るさを調整したりするように構成することも可能である。
［５．７］第７変形例
以上の説明においては、携帯型情報処理装置として、時計の場合について説明したが、コンピュータ（ノート型、ＰＤＡ型などを含む）、電話、ラジオ、オーディオ装置などであってもよい。
また、時計として構成する場合も、腕時計型、ネックレス、指輪などのアクセサリ型のほか、懐中時計など様々な態様が考えられる。
【００４５】
【発明の効果】
本発明によれば、回転ベゼルなどの小型化が可能な操作子を情報処理装置の表示制御用に用い、表示制御時の操作性を向上させるとともに、情報処理装置の小型化に貢献することができる。
【図面の簡単な説明】
【図１】第１実施形態の携帯型情報処理装置の外観正面図である。
【図２】第１実施形態の携帯型情報処理装置の部分断面図である。
【図３】携帯型情報処理装置の概要構成ブロック図である。
【図４】センサユニットの取り付け状態説明図である。
【図５】光学パターンの説明図である。
【図６】センサユニットの検出信号の説明図である。
【図７】第１実施形態の携帯型情報処理装置の概要動作フローチャートである。
【図８】世界時計モード時の処理フローチャートである。
【図９】世界時計モード時の表示態様の変化の説明図である。
【図１０】指針伸縮モード時の処理フローチャートである。
【図１１】指針伸縮モード時の表示態様の変化の説明図である。
【図１２】アナログ／ディジタル時計モード時の処理フローチャートである。
【図１３】アナログ／ディジタル時計モード時の表示態様の変化の説明図である。
【図１４】アワーマーカ選択モード時の処理フローチャートである。
【図１５】アワーマーカ選択モード時の表示態様の変化の説明図である。
【図１６】アワーマーカ拡大／縮小モード時の処理フローチャートである。
【図１７】アワーマーカ拡大／縮小モード時の表示態様の変化の説明図（その１）である。
【図１８】アワーマーカ拡大／縮小モード時の表示態様の変化の説明図（その２）である。
【図１９】アワーマーカ斜体モード時の処理フローチャートである。
【図２０】アワーマーカ斜体モード時の表示態様の変化の説明図である。
【図２１】アワーマーカの傾斜状態の説明図である。
【図２２】動作セレクトモード時の処理フローチャートである。
【図２３】動作セレクトモード時の表示態様の変化の説明図である。
【図２４】モーフィングモード時の処理フローチャートである。
【図２５】モーフィングモード時の表示態様の変化の説明図である。
【図２６】背景変化モード時の処理フローチャートである。
【図２７】背景変化モード時の表示態様の変化の説明図である。
【図２８】第２実施形態の携帯型情報処理装置の部分断面図である。
【図２９】第３実施形態の携帯型情報処理装置の部分断面図である。
【図３０】第４実施形態の携帯型情報処理装置の部分断面図である。
【符号の説明】
１０…携帯型情報処理装置１０、１１…ケース、１１Ａ…ケース本体、１１Ｂ…カバーガラス、１１Ｃ…裏蓋、１１Ｄ…ねじ部、１２…表示パネル、１３、１３Ａ、１３Ｃ…回転ベゼル、１３Ｂ…ねじ溝、１４…バンド、３１…発振回路、３２…分周回路、３３…時計用カウンタ、３４…ＭＰＵ、３５…ＲＯＭ、３６…ＲＡＭ、３７Ａ、３７Ｂ…センサユニット、３８…波形整形回路、３９…回転情報生成ユニット、６１…磁気パターン、６２…磁気センサユニット、７１…リュウズ支持部、７２…リュウズ、７３…ロータリーエンコーダ、７３Ａ…円形パネル、７３Ｂ…光センサユニット。
【図１】
2004184396.tif 000003
【図２】
2004184396.tif 000004
【図３】
2004184396.tif 000005
【図４】
2004184396.tif 000006
【図５】
2004184396.tif 000007
【図６】
2004184396.tif 000008
【図７】
2004184396.tif 000009
【図８】
2004184396.tif 000010
【図９】
2004184396.tif 000011
【図１０】
2004184396.tif 000012
【図１１】
2004184396.tif 000013
【図１２】
2004184396.tif 000014
【図１３】
2004184396.tif 000015
【図１４】
2004184396.tif 000016
【図１５】
2004184396.tif 000017
【図１６】
2004184396.tif 000018
【図１７】
2004184396.tif 000019
【図１８】
2004184396.tif 000020
【図１９】
2004184396.tif 000021
【図２０】
2004184396.tif 000022
【図２１】
2004184396.tif 000023
【図２２】
2004184396.tif 000024
【図２３】
2004184396.tif 000025
【図２４】
2004184396.tif 000026
【図２５】
2004184396.tif 000027
【図２６】
2004184396.tif 000028
【図２７】
2004184396.tif 000029
【図２８】
2004184396.tif 000030
【図２９】
2004184396.tif 000031
【図３０】
2004184396.tif 000032